(57)【要約】【課題】記録媒体ＣＡを筐体１０１の挿込孔１０２に挿し込む作業と、保護カバー１０を筐体１０１に取り付ける作業とに要する時間を短縮できる記録媒体ＣＡの保護カバーを提供する。【解決手段】保護カバー１０は、筐体１０１に形成された挿込孔１０２にカード状の記録媒体ＣＡが挿し込まれた状態で、筐体１０１の外面に対して記録媒体ＣＡの反挿込側が張り出した部分である張出部を保護する。詳しくは、周壁部１１及び底部１１ｃにより張出部を収容する収容空間が形成されている。周壁部１１において底部１１ｃと反対側の端部には、記録媒体ＣＡが挿し込まれてかつ収容空間につながる開口が形成されている。そして、周壁部１１において開口から底部１１ｃの方向への所定長さが挿込孔１０２に挿し込まれる取付部１３とされている。周壁部１１には、開口から底部１１ｃの方向へ延びる切り欠き１６が形成されている。【選択図】      図８
2017011071.tif 000002
【特許請求の範囲】
【請求項１】
筐体に形成された挿込孔にカード状の記録媒体が挿し込まれた状態で、前記筐体の外面に対して前記記録媒体の反挿込側が張り出した部分である張出部を保護する保護カバーであって、
それぞれ弾性を有する材料で形成された周壁部及び底部を備え、前記周壁部及び前記底部により前記張出部を収容する収容空間が形成されており、
前記周壁部において前記底部と反対側の端部には、前記記録媒体が挿し込まれてかつ前記収容空間につながる開口が形成されており、
前記周壁部において前記開口から前記底部の方向への所定長さが前記挿込孔に挿し込まれる取付部とされており、前記取付部の外周面を前記挿込孔の内周面に当接させることにより前記筐体に前記保護カバーが取り付けられ、
前記周壁部には、前記開口から前記底部の方向へ延びる切り欠きが形成されていることを特徴とする保護カバー。
【請求項２】
前記周壁部から外側に突出し、前記保護カバーが前記筐体に取り付けられた状態で前記筐体の外面に当接するフランジ部をさらに備え、
前記周壁部において前記フランジ部よりも前記開口側の部分が前記取付部とされていることを特徴とする請求項１に記載の保護カバー。
【請求項３】
前記筐体の内部には、制御基板と、前記挿込孔に対向した状態で前記制御基板上に設けられ、前記記録媒体が挿し込まれることにより前記制御基板及び前記記録媒体を電気的に接続するコネクタとが配置されており、
前記保護カバーが前記筐体に取り付けられた状態で前記底部及び前記周壁部により前記挿込孔が覆われるように、前記周壁部及び前記底部が形成されており、
前記切り欠きは、前記開口から前記底部の方向へ前記所定長さ以下で延びていることを特徴とする請求項２に記載の保護カバー。
【請求項４】
前記切り欠きは、前記開口から前記底部の方向へ前記フランジ部まで延びていることを特徴とする請求項２又は３に記載の保護カバー。
【請求項５】
前記切り欠きは、前記開口から前記底部の方向へ前記フランジ部を切り欠いて前記フランジ部を越える位置まで延びていることを特徴とする請求項２に記載の保護カバー。
【請求項６】
前記切り欠きは、前記周壁部に複数形成されていることを特徴とする請求項３〜５のいずれか１項に記載の保護カバー。
【請求項７】
前記切り欠きは、前記周壁部において対向する位置にそれぞれ形成されていることを特徴とする請求項６に記載の保護カバー。
【請求項８】
前記収容空間に前記記録媒体が収容されてかつ前記フランジ部が前記筐体の外面に当接した状態において、前記記録媒体の挿し込み方向において前記記録媒体と前記底部との間に隙間が形成されるように、前記開口から前記底部までの深さ寸法が設定されていることを特徴とする請求項２〜７のいずれか１項に記載の保護カバー。
【請求項９】
前記周壁部の前記底部側の端部において内面側に設けられ、前記保護カバーに対する前記記録媒体の位置を決めるように前記記録媒体の端部を保持する保持部をさらに備えることを特徴とする請求項１〜８のいずれか１項に記載の保護カバー。
【請求項１０】
前記保持部は、前記周壁部の内面側において前記底部から前記開口の方向へ延びる一対のリブ形状をなしており、前記開口の長手方向の中央から離間した位置に設けられていることを特徴とする請求項９に記載の保護カバー。
【請求項１１】
前記周壁部の前記開口側の先端部に設けられ、前記取付部が前記挿込孔に挿し込まれた状態で前記筐体の内面のうち前記挿込孔の周縁部に引っ掛かる引っ掛かり部をさらに備えることを特徴とする請求項１〜１０のいずれか１項に記載の保護カバー。
【発明の詳細な説明】
【技術分野】
【０００１】
本発明は、記録媒体の保護カバーに関する。
【背景技術】
【０００２】
従来、工場内の組立ラインにおいてロボット等の産業機器を制御するＰＬＣ（Programmable Logic Controller）等の制御機器が知られている（例えば特許文献１参照）。制御機器には、その筐体にＳＤカード等のカード状の記録媒体が挿し込まれる挿込孔が形成されているものもある。作業者は記録媒体を挿込孔に挿込むことにより、例えば、産業機器の制御プログラムを書き換えたり、制御プログラムの実行記録を取得するいわゆるデータロギングを行ったりする。
【先行技術文献】
【特許文献】
【０００３】
【特許文献１】特開２００６−９９６３９号公報
【発明の概要】
【発明が解決しようとする課題】
【０００４】
ここで近年、制御機器が小型化されることに伴い、制御機器の筐体内のスペースが狭くなっている。このため、記録媒体が筐体の挿込孔に挿し込まれた状態において、記録媒体の全てを筐体内に収容するスペースを確保できず、筐体の外面に対して記録媒体の反挿込側が張り出すような構成の制御機器も存在する。このような制御機器においては、挿込孔に挿し込まれた状態の記録媒体を保護するために、記録媒体の保護カバーが必要とされている。
【０００５】
ここで、作業者が記録媒体を挿込孔に挿し込む作業は、組立ラインを停止させた状態で行われる。組立ラインの停止時間を短縮するには、記録媒体を挿し込む作業に要する時間を短縮することが要求される。しかしながら、記録媒体を挿込孔に挿し込む作業に加えて、記録媒体の保護カバーの取り付け作業が追加されると、組立ラインの停止時間が長くなる懸念がある。特に、組立ラインにおいて制御機器が複数設置されている場合、複数の制御機器のそれぞれについて記録媒体の挿し込み作業及び保護カバーの取り付け作業が開始されてから完了するまでに要する時間がより長くなり、組立ラインの停止時間がより長くなる懸念がある。
【０００６】
本発明は、記録媒体を筐体の挿込孔に挿し込む作業、及び保護カバーを筐体に取り付ける作業に要する時間を短縮することができる記録媒体の保護カバーを提供することを主たる目的とする。
【課題を解決するための手段】
【０００７】
以下、上記課題を解決するための手段、及びその作用効果について記載する。
【０００８】
第１の発明は、筐体に形成された挿込孔にカード状の記録媒体が挿し込まれた状態で、前記筐体の外面に対して前記記録媒体の反挿込側が張り出した部分である張出部を保護する保護カバーであって、それぞれ弾性を有する材料で形成された周壁部及び底部を備え、前記周壁部及び前記底部により前記張出部を収容する収容空間が形成されており、前記周壁部において前記底部と反対側の端部には、前記記録媒体が挿し込まれてかつ前記収容空間につながる開口が形成されており、前記周壁部において前記開口から前記底部の方向への所定長さが前記挿込孔に挿し込まれる取付部とされており、前記取付部の外周面を前記挿込孔の内周面に当接させることにより前記筐体に前記保護カバーが取り付けられ、前記周壁部には、前記開口から前記底部の方向へ延びる切り欠きが形成されていることを特徴とする。
【０００９】
上記発明では、周壁部及び底部により記録媒体の張出部を収容する収容空間が形成されている。周壁部において底部と反対側の端部には、収容空間につながる開口が形成されている。この構成において、まず、開口に記録媒体が挿し込まれることにより、記録媒体の張出部が収容空間に収容される。そして、記録媒体が収容空間に収容された状態で、開口を挿込孔に向けて保護カバーの底部側が押されることにより、取付部が弾性変形しながら挿込孔に押し込まれ、取付部の外周面が挿込孔の内周面に当接する。
【００１０】
ここで上記発明では、開口から底部の方向へ延びる切り欠きが周壁部に形成されている。そして、周壁部において開口から底部の方向への所定長さが保護カバーを筐体に取り付ける取付部とされている。このため、切り欠きが形成されていない構成と比べて、周壁部の開口側に肉盗み部を形成することができ、保護カバーの底部を挿し込み方向に弾性変形させやすくすることができる。その結果、収容空間に記録媒体が収容された状態で保護カバーの底部側を押す作業により、記録媒体を挿込孔に挿し込む作業と、保護カバーを筐体に取り付ける作業とを一度に行うことができる。これにより、記録媒体を挿込孔に挿し込む作業及び保護カバーの取り付け作業に要する時間を短縮でき、ひいては組立ラインの停止時間を短縮することができる。
【００１１】
また上記発明では、作業者の指で周壁部が内側に押されることにより、取付部が内側にへこむように弾性変形する。このため、収容空間に記録媒体が収容された状態で２本の指（例えば、親指と人差し指）で周壁部を弾性変形させつつ、１本の指（例えば、中指）で底部を押す作業により、記録媒体及び保護カバーを挿込孔に押し込むことができる。これにより、記録媒体を挿込孔に挿し込む作業及び保護カバーの取り付け作業を容易に行うことができる。
【００１２】
第２の発明は、前記周壁部から外側に突出し、前記保護カバーが前記筐体に取り付けられた状態で前記筐体の外面に当接するフランジ部をさらに備え、前記周壁部において前記フランジ部よりも前記開口側の部分が前記取付部とされていることを特徴とする。
【００１３】
上記発明では、フランジ部が筐体の外面に当接するまで取付部が挿込孔に押し込まれることにより、保護カバーが筐体に取り付けられる。このため、作業者は、フランジ部が筐体の外面に当接することを確認することにより、保護カバーが筐体に取り付けられたことを簡易に把握することができる。
【００１４】
第３の発明は、前記筐体の内部には、制御基板と、前記挿込孔に対向した状態で前記制御基板上に設けられ、前記記録媒体が挿し込まれることにより前記制御基板及び前記記録媒体を電気的に接続するコネクタとが配置されており、前記保護カバーが前記筐体に取り付けられた状態で前記底部及び前記周壁部により前記挿込孔が覆われるように、前記周壁部及び前記底部が形成されており、前記切り欠きは、前記開口から前記底部の方向へ前記所定長さ以下で延びていることを特徴とする。
【００１５】
記録媒体の挿し込み作業と保護カバーの取り付け作業とを容易に行う上では、開口から底部の方向における切り欠きの長さ寸法を大きく設定し、保護カバーの底部を挿し込み方向に弾性変形させやすくすることが望ましい。
【００１６】
一方、制御機器が防爆規格を満たすためには、保護カバーが筐体に取り付けられた状態において、電気火花の発生のおそれがある筐体内部のコネクタと筐体外部とが挿込孔を介して連通することを回避することが要求される。ここで、記録媒体の挿し込み作業と保護カバーの取り付け作業とを容易に行うために切り欠きの長さ寸法を大きくしすぎると、保護カバーが筐体に取り付けられた状態で周壁部と筐体の外面との間に隙間ができてしまう。その結果、制御機器が防爆規格を満たすことができなくなる。
【００１７】
そこで上記発明では、保護カバーが筐体に取り付けられた状態で底部及び周壁部により挿込孔が覆われるように、周壁部及び底部が形成されている。このため上記発明によれば、筐体内部のコネクタと筐体外部とが挿込孔を介して連通することを回避でき、防爆規格を満たすことができる。
【００１８】
第４の発明は、前記切り欠きは、前記開口から前記底部の方向へ前記フランジ部まで延びていることを特徴とする。
【００１９】
上記発明によれば、フランジ部を残しつつ、切り欠きの長さ寸法の最大化を図ることができ、記録媒体の挿し込み作業及び保護カバーの取り付け作業をより容易に行うことができる。特に上記発明が第３の発明の構成を備える場合、防爆規格を満たしつつ、記録媒体の挿し込み作業及び保護カバーの取り付け作業をより容易に行うことができる。
【００２０】
第５の発明は、前記切り欠きは、前記開口から前記底部の方向へ前記フランジ部を切り欠いて前記フランジ部を越える位置まで延びていることを特徴とする。
【００２１】
上記発明では、切り欠きによりフランジ部の一部が除去されている。このため、挿し込み方向に保護カバーの底部側をより弾性変形させやすくすることができ、保護カバーの押し込みに要する力を小さくできる。これにより、記録媒体の挿し込み作業及び保護カバーの取り付け作業をいっそう容易に行うことができる。
【００２２】
第６の発明は、前記切り欠きは、前記周壁部に複数形成されていることを特徴とする。
【００２３】
上記発明によれば、周壁部の開口側において肉盗み部を複数形成することができ、挿し込み方向に保護カバーの底部をより弾性変形させやすくすることができる。これにより、記録媒体の挿し込み作業及び保護カバーの取り付け作業をより容易に行うことができる。
【００２４】
なお、切り欠きとしては、具体的には第７の発明のように、周壁部において対向する位置にそれぞれ形成することができる。
【００２５】
第８の発明は、前記収容空間に前記記録媒体が収容されてかつ前記フランジ部が前記筐体の外面に当接した状態において、前記記録媒体の挿し込み方向において前記記録媒体と前記底部との間に隙間が形成されるように、前記開口から前記底部までの深さ寸法が設定されていることを特徴とする。
【００２６】
上記発明では、収容空間に記録媒体が収容されてかつフランジ部が筐体の外面に当接した状態において、記録媒体と底部との間に隙間が形成される。このため、保護カバーの取り付け時において、記録媒体を挿込孔に挿し込むために、底部を余計に弾性変形させる必要がある。したがって、底部を余計に弾性変形させる必要がある上記発明では、周壁部に切り欠きが形成される構成を採用するメリットが大きい。
【００２７】
第９の発明は、前記周壁部の前記底部側の端部において内面側に設けられ、前記保護カバーに対する前記記録媒体の位置を決めるように前記記録媒体の端部を保持する保持部をさらに備えることを特徴とする。
【００２８】
上記発明では、保護カバーが筐体に取り付けられる前に、開口に記録媒体が挿し込まれることにより、記録媒体の張出部が収容空間に収容されるとともに、保護カバーに対する記録媒体の位置を決めるように記録媒体の端部が保持部によって保持される。このため、保護カバーを筐体に取り付ける場合に、記録媒体が保護カバーから脱落することを防止できる。これにより、記録媒体を挿込孔に挿し込む作業及び保護カバーの取り付け作業を効率的に行うことができる。
【００２９】
第１０の発明は、前記保持部は、前記周壁部の内面側において前記底部から前記開口の方向へ延びる一対のリブ形状をなしており、前記開口の長手方向の中央から離間した位置に設けられていることを特徴とする。
【００３０】
上記発明では、記録媒体の端部が一対のリブ形状をなす保持部に挟まれることにより、記録媒体の端部が保持部によって保持される。ここで上記発明では、リブ形状をなす保持部が、周壁部の内面側において開口部の長手方向の中央から離間した位置に設けられている。このため、保護カバーを筐体に取り付ける場合に、底部の挿入方向における弾性変形が保持部によって妨げられるのを抑制できる。これにより、記録媒体の挿し込み作業と保護カバーの取り付け作業とが行いづらくなるのを回避することができる。
【００３１】
第１１の発明は、前記周壁部の前記開口側の先端部に設けられ、前記取付部が前記挿込孔に挿し込まれた状態で前記筐体の内面のうち前記挿込孔の周縁部に引っ掛かる引っ掛かり部をさらに備えることを特徴とする。
【００３２】
上記発明では、取付部が挿込孔に挿し込まれることにより、筐体の内面のうち挿込孔の周縁部に引っ掛かり部が引っかかる。このため、保護カバーに振動等の外力が加わる場合であっても、保護カバーを抜けにくくすることができる。
【図面の簡単な説明】
【００３３】
【図１】一実施形態にかかる保護カバーの平面図。
【図２】図１の保護カバーをα方向から見た場合の図。
【図３】図２の保護カバーのＢ−Ｂ線断面図。
【図４】図１の保護カバーのＡ−Ａ線断面図。
【図５】カード状の記録媒体が挿し込まれた状態の制御機器の正面図。
【図６】図５の制御機器をβ方向から見た場合の部分拡大図。
【図７】図６のＣ−Ｃ線の部分断面図。
【図８】保護カバーの取り付け手法を示す図。
【図９】図８（ｃ）のＥ−Ｅ線断面図。
【図１０】図８（ｃ）のＦ−Ｆ線断面図。
【図１１】記録媒体を引き抜く場合の保護カバーの断面図。
【図１２】その他の実施形態にかかる保護カバーの平面図。
【図１３】その他の実施形態にかかる保護カバーの平面図。
【発明を実施するための形態】
【００３４】
以下、本発明にかかる記録媒体の保護カバーを具体化した一実施形態について、図面を参照しつつ説明する。本実施形態にかかる保護カバーは、ＳＤカードやコンパクトフラッシュ（登録商標）等のカード状の記録媒体を保護するものである。図５に示すように、この記録媒体ＣＡは、工場内の組立ラインにおいてロボットやコンベア等の産業機器を制御する制御機器１００（例えばＰＬＣ）の側面の挿込孔に挿し込まれる。これにより、例えば、ロボット等の制御プログラムが書き換えられたり、制御プログラムのデータロギングが行われたりする。記録媒体ＣＡは、例えばデータロギングが行われる場合、組立ラインの稼働前に挿し込まれ、組立ラインの稼働後に引き抜かれる。制御機器１００は、図６に示すように、筐体１０１の側面に形成された挿込孔１０２に記録媒体ＣＡが挿し込まれた状態で、筐体１０１の外面に対して記録媒体ＣＡの反挿込側が張り出すような構成のものである。保護カバーは、この張り出した部分である張出部を保護する。
【００３５】
まず、保護カバー単体の構成について説明する。
【００３６】
図１〜図４に示すように、保護カバー１０は、周壁部１１、フランジ部１２、取付部１３、及び引っ掛かり部１４を備えている。本実施形態において、保護カバー１０は、弾性を有する材料にて形成され、具体的にはゴムにて形成されている。
【００３７】
周壁部１１は、扁平な直方体状をなし、１つの開口１５が形成されている。周壁部１１は、開口１５の長手方向（図中、Ｘ方向）において対向する一対の第１壁部１１ａと、開口１５の短手方向（図中、Ｙ方向）において対向する一対の第２壁部１１ｂとを有している。周壁部１１の一方の端部には開口１５が形成されている。周壁部１１の両端部のうち開口１５と反端側の端部は、底部１１ｃにより塞がれている。そして、一対の第１壁部１１ａ、一対の第２壁部１１ｂ及び底部１１ｃにより、開口１５につながる収容空間Ｓが形成されている。なお図１では、周壁部１１において開口１５から底部１１ｃへの深さ方向をＺ方向としている。そして、図１では、開口１５側を被挿込側と表記し、底部１１ｃ側を反挿込側と表記している。
【００３８】
フランジ部１２は、周壁部１１から外側へ突出する鍔状の部分である。フランジ部１２は、保護カバー１０が筐体１０１に取り付けられた状態で、開口１５側の端面が筐体１０１の外面に当接する。本実施形態では、フランジ部１２が、周壁部１１の全周に渡って設けられている。
【００３９】
一対の第２壁部１１ｂのそれぞれには、開口１５から底部１１ｃの方向へ延びる切り欠き１６が形成されている。本実施形態では、開口１５からフランジ部１２まで延びる切り欠き１６が形成されている。切り欠き１６は、開口１５の長手方向の中央を基準に所定幅で形成されている。
【００４０】
取付部１３は、周壁部１１において開口１５から底部１１ｃの方向への所定長さの部分である。本実施形態において、取付部１３は、周壁部１１においてフランジ部１２よりも開口１５側の部分である。取付部１３は、切り欠き１６を挟んで一対設けられている。ちなみに本実施形態における開口１５は、取付部１３の先端部を含む平面上に存在する開口を指すものとする。
【００４１】
一対の取付部１３のそれぞれは、短辺側取付部１３ａと、長辺側取付部１３ｂとを含む。短辺側取付部１３ａは、開口１５の短辺方向に延びる部分である。長辺側取付部１３ｂは、短辺側取付部１３ａの短辺方向における両端のそれぞれから開口１５の長辺方向に延びる部分である。本実施形態では、開口１５の短手方向における一対の第２壁部１１ｂ同士の間隔寸法が、記録媒体ＣＡの厚さ寸法よりも大きく設定されている。このため、短手方向において対向する長辺側取付部１３ｂ同士の間隔寸法が、記録媒体ＣＡの厚さ寸法よりも大きく設定されている。なお本実施形態では、開口１５の長手方向における一対の第１壁部１１ａ同士の間隔寸法が、記録媒体ＣＡの幅寸法よりも大きく設定されている。このため、長手方向において対向する短辺側取付部１３ａ同士の間隔寸法が、記録媒体ＣＡの幅寸法よりも大きく設定されている。
【００４２】
引っ掛かり部１４は、周壁部１１の開口１５側の先端部に設けられ、取付部１３が挿込孔１０２に挿し込まれた状態で筐体１０１の内面のうち挿込孔１０２の周縁部に引っ掛かる部分である。
【００４３】
周壁部１１は、さらにリブ部１７を備えている。リブ部１７は、周壁部１１の内面側において底部１１ｃから開口１５の方向へ延びる一対のリブ形状をなしている。本実施形態において、リブ部１７は複数組（２組）設けられている。また本実施形態では、各リブ部１７が、開口１５の長手方向において中央から離間した位置に設けられている。リブ部１７は、開口１５側から底部１１ｃ側に向かうに連れて第２壁部１１ｂの内面からの高さが高くなる案内部１７ａと、案内部１７ａと連続し、記録媒体ＣＡの端部を保持する保持部１７ｂとを含む。案内部１７ａは、開口１５側から挿込された記録媒体ＣＡを保持部１７ｂへと円滑に案内するための部分である。
【００４４】
続いて、図５〜図７を用いて、保護カバー１０が取り付けられる制御機器１００について説明する。なお、図５〜図７には、保護カバー１０が取り付けられてない状態の制御機器１００を示している。
【００４５】
制御機器１００は、その筐体１０１の内部に、制御基板１０３と、コネクタ１０４とを備えている。コネクタ１０４は、記録媒体ＣＡが挿し込まれる側を挿込孔１０２に対向させた状態で制御基板１０３の板面に実装されている。コネクタ１０４に記録媒体ＣＡが挿し込まれることにより、制御基板１０３と記録媒体ＣＡとが電気的に接続される。これにより、制御プログラムの書き換えやデータロギング等を行うことができる。
【００４６】
なお本実施形態では、図６に示すように、挿込孔１０２を区画する筐体１０１の孔周縁部のうち記録媒体ＣＡの幅方向中間（具体的には、中央）のそれぞれから先端部が記録媒体ＣＡの厚さ方向に延びる一対の突出部１０５が筐体１０１に形成されている。各突出部１０５は、記録媒体ＣＡをコネクタ１０４に挿し込む場合において、筐体１０１とコネクタ１０４との間の隙間（図７参照）に記録媒体ＣＡが誤って入り込むのを防止するためのものである。
【００４７】
続いて、図８〜図１０を用いて、保護カバー１０の筐体１０１への取り付け手法について説明する。ここで図８は、図６のＤ−Ｄ線断面図に相当するものである。ただし図８では、記録媒体ＣＡのハッチングを省略している。
【００４８】
図８（ａ）に示すように、保護カバー１０を筐体１０１に取り付ける前に、まず、周壁部１１の開口１５に記録媒体ＣＡが挿し込まれる。これにより、記録媒体ＣＡの張出部が保護カバー１０の収容空間Ｓに収容される。また、記録媒体ＣＡの端部が案内部１７ａによって保持部１７ｂまで案内される。これにより、記録媒体ＣＡの端部は、保持部１７ｂに保持されるとともに、記録媒体ＣＡの反挿込側の先端部は、底部１１ｃの内面に当接する。
【００４９】
続いて、記録媒体ＣＡが収容空間Ｓに収容された状態で、保護カバー１０及び記録媒体ＣＡが作業者に把持される。詳しくは、一対の第２壁部１１ｂが作業者の２本の指（例えば、親指と人差し指）で挟まれることにより、保護カバー１０及び記録媒体ＣＡが把持される。ここで、一対の第２壁部１１ｂを２本の指で挟んで保護カバー１０及び記録媒体ＣＡを把持するのは、記録媒体ＣＡを挿込孔１０２に挿し込む作業及び保護カバー１０の取り付け作業を容易に行うためである。つまり、第２壁部１１ｂが内側に押されることに伴い、取付部１３が内側にへこむように弾性変形する。このため、底部１１ｃの中央部分を挿し込み方向に指で押す場合に取付部１３が挿込孔１０２に入りやすくなり、記録媒体ＣＡを挿込孔１０２に挿し込む作業及び保護カバー１０の取り付け作業を容易に行うことができる。これに対し、第２壁部１１ｂではなく第１壁部１１ａを２本の指で挟んだ場合、フランジ部１２があることなどに起因して、第２壁部１１ｂを挟んだ場合よりも取付部１３が内側に弾性変形しにくい。
【００５０】
ちなみに、第１壁部１１ａよりも第２壁部１１ｂの方が面積が大きいため、一対の第２壁部１１ｂを挟んで保護カバー１０及び記録媒体ＣＡを把持することにより、一対の第１壁部１１ａを挟んで把持する場合よりも保護カバー１０及び記録媒体ＣＡを安定して把持することができる。これにより、保護カバー１０を誤って落としにくくなる。
【００５１】
続いて図８（ｂ）に示すように、作業者により、記録媒体ＣＡの保護カバー１０から露出した側の先端部が挿込孔１０２及びコネクタ１０４に挿し込まれる。そして、２本の指で第２壁部１１ｂを挟みつつ、１本の指（例えば、中指）で底部１１ｃの中央部分が挿し込み方向に押される。これにより、取付部１３は、取付部１３及び引っ掛かり部１４を内側に弾性変形させながら挿込孔１０２に押し込まれる。さらに、周壁部１１には切り欠き１６が形成されているため、切り欠き１６が形成されていない構成と比べて、底部１１ｃは、挿し込み方向である開口１５側へ弾性変形しやすくなる。このため、底部１１ｃにより記録媒体ＣＡが押され、記録媒体ＣＡが挿し込み方向へ先行させられる。
【００５２】
そして図８（ｃ）に示すように、フランジ部１２が筐体１０１の外面に当接するまで取付部１３が挿込孔１０２に押し込まれる。これにより、記録媒体ＣＡのコネクタ１０４への挿し込みが完了するとともに、取付部１３の外周面が挿込孔１０２の内周面に当接する。詳しくは、図９に示すように、短辺側取付部１３ａ及び長辺側取付部１３ｂの外周面が挿込孔１０２の内周面に当接する。これにより、記録媒体ＣＡの張出部が収容空間Ｓに収容された状態で保護カバー１０が筐体１０１に取り付けられる。また、周壁部１１及び底部１１ｃにより、挿込孔１０２が覆われる。
【００５３】
保護カバー１０が筐体１０１に取り付けられた状態では、図１０に示すように、記録媒体ＣＡは、その板面を第１壁部１１ａ及び第２壁部１１ｂの内面から離間させた状態でコネクタ１０４及び保持部１７ｂによって保持されている。また、保護カバー１０が筐体１０１に取り付けられた状態では、記録媒体ＣＡの挿し込み方向において記録媒体ＣＡと底部１１ｃとの間に隙間が形成されている。なお図１０は、図８（ｃ）のＦ−Ｆ線断面図である。
【００５４】
続いて、図１１を用いて、保護カバー１０の筐体１０１からの取り外し手法について説明する。ここで図１１は、図８（ｃ）のＥ−Ｅ線断面図に相当するものである。
【００５５】
筐体１０１に取り付けられた保護カバー１０を取り外す場合、作業者により、まず、一対の第２壁部１１ｂが２本の指で挟まれて押圧変形させられ、記録媒体ＣＡがつままれる。この際、図１１に示すように、長辺側取付部１３ｂが弾性変形させられ、その外周面の一部が挿込孔１０２の内周面から離れた状態となる。そして、一対の第２壁部１１ｂを介して記録媒体ＣＡがつままれた状態で、記録媒体ＣＡの反挿し込み方向に保護カバー１０が引き抜かれる。これにより、保護カバー１０が筐体１０１から取り外されるとともに、記録媒体ＣＡが挿込孔１０２から引き抜かれる。
【００５６】
以上説明した本実施形態の効果について説明する。
【００５７】
（１）周壁部１１においてフランジ部１２よりも開口１５側を取付部１３とし、開口１５から底部１１ｃの方向へ延びる切り欠き１６を周壁部１１に形成した。このため、切り欠き１６が形成されていない構成と比べて、保護カバー１０を筐体１０１に取り付ける場合において、周壁部１１の開口１５側に肉盗み部を形成することができる。これにより、底部１１ｃを挿し込み方向に弾性変形させやすくできる。その結果、収容空間Ｓに記録媒体ＣＡが収容された状態で取付部１３を挿込孔１０２に押し込む作業により、記録媒体ＣＡを挿込孔１０２に挿し込む作業と、保護カバー１０を筐体１０１に取り付ける作業とを一度に行うことができる。これにより、収容空間Ｓに記録媒体ＣＡを収容しない状態で記録媒体ＣＡを挿込孔１０２に挿し込んだ後、保護カバー１０を筐体１０１に取り付ける作業に比べて、記録媒体ＣＡの挿し込み作業及び保護カバー１０の取り付け作業に要する時間を短縮できる。したがって、組立ラインの停止時間を短縮することができる。
【００５８】
また本実施形態では、切り欠き１６が形成されていない構成と比べて、取付部１３を挿込孔１０２に押し込む場合において、一対の取付部１３のそれぞれが内側に弾性変形する逃げ場を切り欠き１６によって形成することができる。これにより、取付部１３を挿込孔１０２に押し込む場合に取付部１３を弾性変形させやすくでき、取付部１３を挿込孔１０２に押し込む場合に要する力を小さくできる。その結果、保護カバー１０の取り付け作業を行う作業者の負担を減らすことができる。
【００５９】
さらに本実施形態では、一対の第２壁部１１ｂの中央部分が内側に押されることにより、取付部１３が内側にへこむように弾性変形する。このため、収容空間Ｓに記録媒体ＣＡが収容された状態で親指と人差し指とで第２壁部１１ｂを挟んで弾性変形させつつ、中指で底部１１ｃを押す作業により、記録媒体ＣＡ及び保護カバー１０を挿込孔１０２に押し込むことができる。これにより、記録媒体ＣＡを挿込孔１０２に挿し込む作業及び保護カバーの取り付け作業を容易に行うことができる。
【００６０】
（２）対向する一対の第２壁部１１ｂのそれぞれに切り欠き１６を形成した。このため、一対の第２壁部１１ｂのそれぞれに肉盗み部を形成でき、保護カバー１０を筐体１０１に取り付ける場合に底部１１ｃを挿し込み方向により弾性変形させやすくできる。これにより、記録媒体ＣＡの挿し込み作業と保護カバー１０の取り付け作業とをより容易に行うことができる。
【００６１】
また、切り欠き１６の形成位置を一対の第２壁部１１ｂの対向部分とすることにより、底部１１ｃを押す場合において、一対の第２壁部１１ｂのそれぞれが同じように弾性変形する。このため、取付部１３のうち、一対の第２壁部１１ｂの一方の側の部分と他方の側の部分とのそれぞれも内側に同じように弾性変形する。これにより、取付部１３を挿込孔１０２に挿し込みやすくできる。また、一対の第２壁部１１ｂのそれぞれが同じように弾性変形するため、一対の第２壁部１１ｂの一方の上に置いた指に要求される動作と、他方の上に置いた指に要求される動作とを同じようにすることができ、記録媒体ＣＡの挿し込み作業と保護カバー１０の取り付け作業のミスを減らすことができる。
【００６２】
（３）周壁部１１にフランジ部１２を設けた。このため、作業者は、フランジ部１２が筐体１０１の外面に当接することを確認することにより、保護カバー１０が筐体１０１に取り付けられたことを簡易に把握することができる。これにより、記録媒体ＣＡの挿し込み作業と保護カバー１０の取り付け作業とを効率的に行うことができる。
【００６３】
（４）周壁部１１において開口１５からフランジ部１２まで切り欠き１６を形成した。このため、保護カバー１０が筐体１０１に取り付けられた状態において、筐体１０１内部のコネクタ１０４と筐体１０１外部とが挿込孔１０２を介して連通することを回避できる。これにより、切り欠き１６の長さ寸法の最大化を図ることができ、記録媒体ＣＡの挿し込み作業と保護カバー１０の取り付け作業とを容易化しつつ、制御機器１００の防爆規格を満たすことができる。
【００６４】
（５）周壁部１１にリブ部１７を設けた。このため、保護カバー１０を筐体１０１に取り付ける場合に、記録媒体ＣＡが保護カバー１０から脱落することを防止できる。これにより、記録媒体ＣＡの挿し込み作業と保護カバー１０の取り付け作業とを効率的に行うことができる。
【００６５】
（６）開口１５の長手方向の中央から離間した位置にリブ部１７を設けた。保護カバー１０を筐体１０１に取り付ける場合、底部１１ｃの中央部分が押されるため、開口１５の長手方向の中央にリブ部を設けると、挿し込み方向において底部１１ｃの中央部分が弾性変形しにくくなる。これに対し、開口１５の長手方向の中央から離間した位置にリブ部１７を設けることにより、保護カバー１０を筐体１０１に取り付ける場合に、底部１１ｃの挿し込み方向における弾性変形がリブ部１７によって妨げられるのを抑制できる。これにより、記録媒体ＣＡを挿込孔１０２に挿し込みづらくなるのを回避することができ、ひいては記録媒体ＣＡの挿し込み作業と保護カバー１０の取り付け作業とを容易に行うことができる。
【００６６】
また、保護カバー１０の取り外し時において一対の第２壁部１１ｂを介して記録媒体ＣＡがつままれた場合、リブ部１７によって第２壁部１１ｂの弾性変形が妨げられるのを抑制でき、ひいては第２壁部１１ｂにつながる長辺側取付部１３ｂの弾性変形が妨げられるのを抑制できる。これにより、保護カバー１０が取り外しにくくなるのを回避することができる。
【００６７】
（７）周壁部１１に引っ掛かり部１４を設けた。このため、保護カバー１０に振動等の外力が加わる場合であっても、保護カバー１０を抜けにくくすることができる。
【００６８】
なお、上記実施形態を以下のように変更して実施することもできる。
【００６９】
・図１２に示すように、保護カバー１０ａの切り欠き１８を、第２壁部１１ｂにおいて開口１５から底部１１ｃの方向へフランジ部１２を切り欠いてフランジ部１２を越える位置まで形成してもよい。この場合、第２壁部１１ｂの外面に設けられたフランジ部１２の中央部分が切り欠き１８によって除去されることとなる。フランジ部１２が除去されること、及び切り欠き１８の長さ寸法が先の図１に示した長さ寸法よりも長くされていることにより、挿し込み方向に保護カバー１０ａの底部１１ｃ側をいっそう弾性変形させやすくすることができ、保護カバー１０ａの押し込みに要する力を小さくできる。これにより、記録媒体ＣＡの挿し込み作業及び保護カバー１０ａの取り付け作業をいっそう容易に行うことができる。なお図１２において、先の図１に示した構成と同一の構成については、便宜上、同一の符号を付している。
【００７０】
・上記実施形態において、第２壁部１１ｂにおいて開口１５から底部１１ｃの方向へとフランジ部１２の手前位置まで切り欠きを形成してもよい。
【００７１】
・図１３に示すように、保護カバー１０ｂの底部１１ｃに開口１９を設けてもよい。なおこの場合、例えば、底部１１ｃに加えて、記録媒体ＣＡの端部を作業者が指で直接押すことができる。なお図１３において、先の図１に示した構成と同一の構成については、便宜上、同一の符号を付している。
【００７２】
・上記実施形態において、一対の第２壁部１１ｂのいずれかに切り欠き１６を形成してもよい。
【００７３】
・上記実施形態において、周壁部１１の全周にフランジ部１２を設けず、一部にフランジ部１２を設けてもよい。また上記実施形態において、周壁部１１にフランジ部１２を設けなくてもよい。
【符号の説明】
【００７４】
１０…保護カバー、１１…周壁部、１３…取付部、１５…開口部、１６…切り欠き、ＣＡ…記録媒体、Ｓ…収容空間。
【図１】
2017011071.tif 000003
【図２】
2017011071.tif 000004
【図３】
2017011071.tif 000005
【図４】
2017011071.tif 000006
【図５】
2017011071.tif 000007
【図６】
2017011071.tif 000008
【図７】
2017011071.tif 000009
【図８】
2017011071.tif 000010
【図９】
2017011071.tif 000011
【図１０】
2017011071.tif 000012
【図１１】
2017011071.tif 000013
【図１２】
2017011071.tif 000014
【図１３】
2017011071.tif 000015